(57)【特許請求の範囲】
【請求項１】
中間周波帯のテレビジョン信号を互いに異なる放送チャンネルのテレビジョン信号に周波数変換して出力する第一及び第二の周波数変換器を備え、前記各周波数変換器は、前記中間周波帯のテレビジョン信号を前記中間周波帯のテレビジョン信号の周波数よりも周波数が高い第一中間周波帯のテレビジョン信号に周波数変換する第一混合器と、第一局部発振信号を発生すると共に前記第一混合器に入力する第一局部発振器と、前記第一中間周波帯のテレビジョン信号を前記放送チャンネルのテレビジョン信号に周波数変換する第二混合器と、第二局部発振信号を発生すると共に前記第二混合器に入力する第二局部発振器とを有し、前記第一の周波数変換器における第一局部発振信号の周波数と前記第二の周波数変換器における第一局部発振信号の周波数とを互いに０．２５ＭＨｚ以上異ならせたことを特徴とするテレビジョン信号送信機。
【請求項２】
前記第一の周波数変換器と前記第二の周波数変換器とには前記第一中間周波帯のテレビジョン信号の周波数帯域よりも広い通過帯域を有するバンドパスフィルタをそれぞれ前記第一混合器と前記第二混合器との間に設け、前記第一の周波数変換器における第一局部発振信号の周波数と前記第二の周波数変換器における第一局部発振信号の周波数とを所定の基準周波数に対して共に０．２５ＭＨｚの整数倍離れた周波数のいずれかに設定し得るようにしたことを特徴とする請求項１記載のテレビジョン信号送信機。
【請求項３】
前記各周波数変換器には前記各第一局部発振器をそれぞれ制御するＰＬＬ回路を個別に設け、前記第一の周波数変換器における第一局部発振信号の周波数と前記第二の周波数変換器における第一局部発振信号の周波数とを設定するための周波数データを記憶するマイクロコンピュータを設け、前記マイクロコンピュータから前記各ＰＬＬ回路に前記周波数データを入力したことを特徴とする請求項２記載のテレビジョン信号送信機。
【発明の詳細な説明】
【０００１】
【発明の属する技術分野】
本発明は、例えば、ＣＡＴＶシステムにおいて使用され、テレビジョンの中間周波帯の信号を放送チャンネルの周波数のテレビジョン信号に周波数変換するテレビジョン信号送信機に関する。
【０００２】
【従来の技術】
図２は従来のテレビジョン信号送信機の主要部の回路構成を示し、テレビジョンの中間周波帯の信号（単に、中間周波信号という）を放送チャンネルの周波数のテレビジョン信号（単に、テレビジョン信号という）に周波数変換する二系統の周波数変換器、第一の周波数変換器１１と第二の周波数変換器１２とを備えている。そして、これらの周波数変換器１１、１２は同一の筺体の中に組み込まれている。
【０００３】
第一の周波数変換器１１と第二の周波数変換器１２とは同じ構成を有し、第一の周波数変換器１１は、中間周波信号をそれよりも周波数が高い第一中間周波信号に周波数変換する第一混合器１１ａと、第一混合器１１ａに第一局部発振信号を入力する第一局部発振器１１ｂと、第一中間周波信号をテレビジョン信号に周波数変換する第二混合器１１ｃと、第二混合器１１ｃに第二局部発振信号を入力する第二局部発振器１１ｄとを有している。
同様に、第二の周波数変換器１２も第一混合器１２ａと、第一局部発振器１２ｂと、第二混合器１２ｃと、第二局部発振器１１ｄとを有している。
【０００４】
各周波数変換器１１、１２の第一混合器１１ａ、１２ａに入力される中間周波信号の内容（放送番組内容）は互いに異なっている。従って、第二混合器１１ｃ、１２ｃから出力されるテレビジョン信号は互いに異なったチャンネルの周波数で出力される。これらのテレビジョン信号は、混合器１３によって混合され、図示しないケーブルによってＣＡＴＶシステムの加入者に送信される。
【０００５】
上記の構成において、第一中間周波信号の周波数は予め所定の周波数となるように設定されているので、二つの第一局部発振器１１ｂ、１２ｂがそれぞれ出力する第一局部発振信号の周波数は同じとなる。また、第二混合器１１ｃ、１２ｃが出力するテレビジョン信号のチャンネルが互いに異なることから、第二局部発振器１１ｄ、１２ｄがそれぞれ出力する第二局部発振信号の周波数は少なくとも１チャンネル分の周波数互いに異なっている。
【０００６】
【発明が解決しようとする課題】
上記従来のテレビジョン信号送信機においては、互いの第一局部発振信号は同一周波数となるように設定されるが、実際には、第一局部発振器に使用する部品の定数ばらつきによって正確に一致することはなく僅かに異なる。
【０００７】
このため、例えば、第一の周波数変換器の第一局部発振信号が漏洩して第二周波数変換器に入力されたり、反対に、第二の周波数変換器の第二局部発振信号が漏洩して第一の周波数変換器に入力されると、それぞれの周波数変換器においては、第一混合器等に置いて第一局部発振信号と第二局部発振信号とが混合され、それらの周波数の差の信号が発生する。この差の信号のレベルは、周波数の差が少ないほど、つまり、互いの第一局部発振信号の周波数が近いほど大きくなって、テレビジョン信号の映像搬送波の近傍に妨害信号となって現れる。
この結果、このようなテレビジョン信号を受信すると画面に縞模様が現れ画像品質が著しく低下する。
【０００８】
そこで、本発明のテレビジョン信号送信機は、二つの周波数変換器におけるそれぞれの第一局部発振信号同士によって発生する周波数の差の信号による妨害をなくすことを目的とする。
【０００９】
【課題を解決するための手段】
上記課題を解決するため、本発明のテレビジョン信号送信機にあっては、中間周波帯のテレビジョン信号を互いに異なる放送チャンネルのテレビジョン信号に周波数変換して出力する第一及び第二の周波数変換器を備え、前記各周波数変換器は、前記中間周波帯のテレビジョン信号を前記中間周波帯のテレビジョン信号の周波数よりも周波数が高い第一中間周波帯のテレビジョン信号に周波数変換する第一混合器と、第一局部発振信号を発生すると共に前記第一混合器に入力する第一局部発振器と、前記第一中間周波帯のテレビジョン信号を前記放送チャンネルのテレビジョン信号に周波数変換する第二混合器と、第二局部発振信号を発生すると共に前記第二混合器に入力する第二局部発振器とを有し、前記第一の周波数変換器における第一局部発振信号の周波数と前記第二の周波数変換器における第一局部発振信号の周波数とを互いに０．２５ＭＨｚ以上異ならせた。
【００１０】
また、本発明のテレビジョン信号送信機は、前記第一の周波数変換器と前記第二の周波数変換器とには前記第一中間周波帯のテレビジョン信号の周波数帯域よりも広い通過帯域を有するバンドパスフィルタをそれぞれ前記第一混合器と前記第二混合器との間に設け、前記第一の周波数変換器における第一局部発振信号の周波数と前記第二の周波数変換器における第一局部発振信号の周波数とを所定の基準周波数に対して共に０．２５ＭＨｚの整数倍離れた周波数のいずれかに設定し得るようにした。
【００１１】
また、本発明のテレビジョン信号送信機は、前記各周波数変換器には前記各第一局部発振器をそれぞれ制御するＰＬＬ回路を個別に設け、前記第一の周波数変換器における第一局部発振信号の周波数と前記第二の周波数変換器における第一局部発振信号の周波数とを設定するための周波数データを記憶するマイクロコンピュータを設け、前記マイクロコンピュータから前記各ＰＬＬ回路に前記周波数データを入力した。
【００１２】
【発明の実施の形態】
以下、本発明のテレビジョン信号送信機を図１に従って説明する。本発明のテレビジョン信号送信機は、入力された中間周波帯のテレビジョン信号を放送チャンネルのテレビジョン信号に周波数変換して出力する二系統の周波数変換器、第一の周波数変換器１及び第二の周波数変換器２と、第一及び第二の周波数変換器１、２から出力される放送チャンネルのテレビジョン信号を混合する第三混合器３と、第一及び第二の周波数変換器１、２を制御するマイクロコンピュータ（ＭＰＵという）４等を備えている。そして、これらの周波数変換器１、２等はテレビジョン送信機を構成する同一の筺体（図示せず）の中に組み込まれている。
【００１３】
ここで、中間周波帯のテレビジョン信号とは、いわゆるテレビジョンシステムにおける中間周波数帯のテレビジョン信号であり、例えば、米国仕様では映像中間周波信号が４５．７５ＭＨｚ、音声中間周波信号が４１．２５ＭＨｚとなる信号である。
そして、第一の周波数変換器１に入力される中間周波帯のテレビジョン信号と第二の周波数変換器２に入力される中間周波帯のテレビジョン信号とは互いに異なる映像信号及び音声信号を有している。
また、放送チャンネルのテレビジョン信号とは放送チャンネルに割り当てられたテレビジョン信号であり、チャンネルによって周波数が異なる。
【００１４】
第一の周波数変換器１と第二の周波数変換器２とは同じ構成を有し、第一の周波数変換器１は、中間周波帯のテレビジョン信号が入力される入力増幅器１ａ、入力された中間周波帯のテレビジョン信号をそれよりも周波数が高い第一中間周波帯のテレビジョン信号に周波数変換する第一混合器１ｂ、第一局部発振信号を発生して第一混合器１ｂに入力する第一局部発振器１ｃ、第一局部発振信号の周波数を制御する第一ＰＬＬ回路１ｄ、第一中間周波帯のテレビジョン信号を通過するバンドパスフィルタ１ｅ、第一中間周波帯のテレビジョン信号を放送チャンネルのテレビジョン信号に周波数変換する第二混合器１ｆ、第二局部発振信号を発生して第二混合器１ｆに入力する第二局部発振器１ｇ、第二局部発振信号の周波数を制御する第二ＰＬＬ回路１ｈ、出力増幅器１ｉ、出力フィルタ１ｊを有し、それらは図１に示すように接続されている。
【００１５】
同様に、第二周波数変換器２も、入力増幅器２ａ、第一混合器２ｂ、第一局部発振器２ｃ、第一ＰＬＬ回路２ｄ、第一中間周波フィルタ２ｅ、第二混合器２ｆ、第二局部発振器２ｇ、第二ＰＬＬ回路２ｈ、出力増幅器２ｉ、出力フィルタ２ｊを有し、それらが図１に示すように接続されている。
【００１６】
そして、各入力増幅器１ａ、２ａには映像信号及び音声信号の異なる中間周波帯のテレビジョン信号が入力される。また、第一中間周波帯のテレビジョン信号の周波数（映像搬送波の周波数）は１３００ＭＨｚが基準周波数となっており、従って、第一局部発振信号の周波数は１２５４．２５ＭＨｚが基準周波数となる。そして、第一局部発振信号の周波数は若干の範囲で変えられるようになっており、第一ＰＬＬ回路１ｄ、２ｄによってその周波数が設定される。その際の最小のステップ周波数は０．０１２５ＭＨｚになっている。
【００１７】
バンドパスフィルタ１ｅ、２ｅは、その通過帯域はおよそ７乃至８ＭＨｚ（例えば、１２９３ＭＨ〜１３０１ＭＨｚ）であり、第一中間周波帯のテレビジョン信号の帯域（４．５ＭＨｚ）よりも広くなっている。その理由は、バンドパスフィルタ１ｅ、２ｅの通過帯域における伝送特性のばらつきに対処するためであり、さらには、放送チャンネルのテレビジョン信号の周波数を標準の周波数から若干シフトして出力することがあるためである。このシフト量は、通常±０．１１２５ＭＨである。
【００１８】
第一の周波数変換器１から出力される放送チャンネルのテレビジョン信号と第二の周波数変換器２から出力される放送チャンネルのテレビジョン信号とは互いに異なる放送チャンネルの周波数となるように設定される。そして、この放送チャンネルはＣＡＴＶシステムによって決められる。
従って、第一の周波数変換器１における第二局部発振信号の周波数と第二の周波数変換器２における第二局部発振信号の周波数とは少なくとも１チャンネル分の周波数異なる。
【００１９】
また、第二局部発振信号の周波数は第一中間周波帯のテレビジョン信号の周波数よりも放送チャンネルのテレビジョン信号の周波数だけ高くなるが、放送チャンネルのテレビジョン信号は設定された放送チャンネルによって周波数が異なるので、全てのチャンネルの周波数に対応可能なようにほぼ１３５０ＭＨｚから２３５０ＭＨｚまで変えられるようになっている。そして、第二の局部発振信号の周波数は第二ＰＬＬ回路１ｈ、２ｈによって設定される。その際の最小ステップ周波数は０．１２５ＭＨｚになっている。
【００２０】
また、出力フィルタ１ｊ、２ｊは周波数可変のバンドパスフィルタで構成されており、放送チャンネルのテレビジョン信号の周波数に対応してその通過帯域の中心周波数が変化するようになっており、第二の局部発振信号の周波数と連動する。
【００２１】
そして、二つの第一ＰＬＬ回路１ｄ、２ｄと二つの第二ＰＬＬ回路１ｈ、２ｈには第一及び第二局部発振信号の周波数を決めるための周波数データ（具体的には各ＰＬＬ回路内の可変分周器の分周比データ）がマイクロコンピュータ（ＭＰＵ）４から入力される。また、ＭＰＵ４は内部にメモリを有しており、このメモリには、例えばキーボード等の入力手段５から入力された周波数設定用のデータが記憶されている。
【００２２】
以上の構成において、いずれか一方の周波数変換器、例えば、第一の周波数変換器１における第一中間周波帯のテレビジョン信号の周波数が基準周波数（１３００ＭＨｚ）となるように設定される。
この場合、第一の周波数変換器１における第一中間周波信号の周波数も基準周波数１２５４．２５ＭＨｚ（＝１３００ＭＨｚ−４５．７５ＭＨｚ）となるように設定される。この設定は第一ＰＬＬ回路１ｄによってなされる。
【００２３】
これに対し、第二の周波数変換器２における第一局部発振信号の周波数は、第一の周波数変換器１における第一局部発振信号の周波数よりも０．２５ＭＨ以上高い周波数、例えば、０．５ＭＨｚ高い１２５４．７５ＭＨｚとなるように設定される。この設定も、第一ＰＬＬ回路２ｄによってなされる。従って、第二の周波数変換器２における第一中間周波帯のテレビジョン信号の周波数は１３００．５ＭＨｚ（＝４５．７５ＭＨｚ＋１２５４．７５ＭＨｚ）となる。
【００２４】
この結果、各周波数変換器１、２における第一局部発振信号同士の周波数差は０．５ＭＨｚ離れるが、通常０．２５ＭＨｚ以上離れれば妨害信号のレベルがかなり低くなるので、映像品質の低下を十分防げる。
なお、第二の周波数変換器１における第一局部発振信号の周波数を０．５ＭＨｚ高くしたことに対応して、第二の周波数変換器２における第二局部発振信号の周波数は、出力される放送チャンネルの標準の周波数に対応する第二局部発振信号の周波数よりも０．５ＭＨｚ高く設定される。
【００２５】
ここで、もしも、第一の周波数変換器１から出力する放送チャンネルのテレビジョン信号の周波数を標準の周波数に対して０．１１２５ＭＨｚ高い方にシフトし、第二の周波数変換器２から出力する放送チャンネルのテレビジョン信号の周波数を標準の周波数に対して０．１１２５ＭＨｚ低い方にシフトした場合を考える。すると、第一の周波数変換器１における第一局部発振信号の周波数は１２５４．３６２５ＭＨｚ（＝１２５４．２５ＭＨｚ＋０．１１２５ＭＨｚ）となり、第二の周波数変換器２における第一局部発振信号の周波数は１２５４．６３７５ＭＨｚ（＝１２５４．７５ＭＨｚ−０．１１２５ＭＨｚ）となり、その差は０．２７５ＭＨｚとなる。この結果、第一の局部発振信号同士の周波数差は０．２７５ＭＨｚとなり、０．２５ＭＨｚ以上を満足するので妨害信号のレベルを低下することが可能である。
【００２６】
ところで、バンドパスフィルタ１ｅ、２ｅの通過帯域は第一中間周波帯のテレビジョン信号の帯域よりも広くしているが、これは、バンドパスフィルタ１ｅ、２ｅの通過帯域のうちのフラットな帯域に第一中間周波帯域のテレビジョン信号の帯域を合わせることによって、出力される放送チャンネルのテレビジョン信号をできるだけフラットにするためである。そうするため、第一周波数変換器１における第一局部発振信号の周波数と第二周波数変換器２における第一局部発振信号の周波数との差を０．２５ＭＨｚ以上に保った状態で、基準周波数に対して共に０．２５ＭＨｚの整数倍離れた周波数にシフトして設定するようにしている。
【００２７】
この結果、第一中間周波帯のテレビジョン信号の周波数がシフトするので、そのシフト量に対応して第二局部発振信号の周波数も同じ量だけシフトする。従って、出力される放送チャンネルのテレビジョン信号の周波数は変化せず、もとのままの周波数に保持される。
このシフト量を決める周波数データはマイクロコンピュータ５から第一ＰＬＬ回路１ｄ、２ｄ、第二ＰＬＬ回路１ｈ、２ｈに入力される。
【００２８】
【発明の効果】
以上のように、本発明のテレビジョン信号送信機にあっては、第一及び第二の周波数変換器は、入力された中間周波帯のテレビジョン信号を第一中間周波帯のテレビジョン信号に周波数変換する第一混合器と、第一局部発振信号を第一混合器に入力する第一局部発振器と、第一中間周波帯のテレビジョン信号を放送チャンネルのテレビジョン信号に周波数変換する第二混合器と、第二局部発振信号を第二混合器に入力する第二局部発振器とを有し、第一の周波数変換器における第一局部発振信号の周波数と第二の周波数変換器における第一局部発振信号の周波数とを互いに０．２５ＭＨｚ以上異ならせたので、第一局部発振信号同士の周波数差による妨害信号のレベルがかなり低くなり、映像品質の低下を十分防げる。
【００２９】
また、本発明のテレビジョン信号送信機は、第一の周波数変換器と第二の周波数変換器とには第一中間周波帯のテレビジョン信号の周波数帯域よりも広い通過帯域を有するバンドパスフィルタをそれぞれ第一混合器と第二混合器との間に設け、第一の周波数変換器における第一局部発振信号の周波数と第二の周波数変換器における第一局部発振信号の周波数とを所定の基準周波数に対して共に０．２５ＭＨｚの整数倍離れた周波数のいずれかに設定し得るようにしたので、バンドパスフィルタの通過帯域のうちのフラットな帯域に第一中間周波帯域のテレビジョン信号の帯域を合わせることができる。従って、出力される放送チャンネルのテレビジョン信号がフラットにすることができる。
【００３０】
また、本発明のテレビジョン信号送信機は、各周波数変換器には各第一局部発振器をそれぞれ制御するＰＬＬ回路を個別に設け、第一の周波数変換器における第一局部発振信号の周波数と第二の周波数変換器における第一局部発振信号の周波数とを設定するための周波数データを記憶するマイクロコンピュータを設け、マイクロコンピュータから各ＰＬＬ回路に周波数データを入力したので、各第一局部発振信号の周波数を確実に設定できる。
【図面の簡単な説明】
【図１】本発明のテレビジョン信号送信機の構成を示す回路図である。
【図２】従来のテレビジョン信号送信機の構成を示す回路図である。
【符号の説明】
１  第一の周波数変換器
１ａ  入力増幅器
１ｂ  第一混合器
１ｃ  第一局部発振器
１ｄ  第一ＰＬＬ回路（ＰＬＬ回路）
１ｅ  バンドパスフィルタ
１ｆ  第二混合器
１ｇ  第二局部発振器
１ｈ  第二ＰＬＬ回路
１ｉ  出力増幅器
１ｊ  出力フィルタ
２  第二の周波数変換器
２ａ  入力増幅器
２ｂ  第一混合器
２ｃ  第一局部発振器
２ｄ  第一ＰＬＬ回路（ＰＬＬ回路）
２ｅ  バンドパスフィルタ
２ｆ  第二混合器
２ｇ  第二局部発振器
２ｈ  第二ＰＬＬ回路
２ｉ  出力増幅器
２ｊ  出力フィルタ
３  第三混合器
４  マイクロコンピュータ
５  入力手段
【図１】
0003592159.tif 000002
【図２】
0003592159.tif 000003